(57)【特許請求の範囲】
【請求項１】
円筒状の管体の一端部を管体の他端側に挿入して管体を連結する管体の連結構造において、前記管体の一端に該管体の外周面に内接する多角形径大部を形成し、この多角形径大部に係止孔を形成するとともに、前記管体の他端に前記係止孔と係合する係止突起を設け、前記管体の連結時に、前記係止突起が前記管体の外周面と前記多角形径大部の角部との隙間に挿入され、一方の管体の回転により、前記係止突起と前記係止孔とが係合してなることを特徴とする管体の連結構造。
【請求項２】
前記係止孔に前記係止突起の抜止め部を形成したことを特徴とする請求項１記載の管体の連結構造。
【発明の詳細な説明】
【０００１】
【産業上の利用分野】
本発明は、管体を相互に連結する管体の連結構造に関する。
【０００２】
【発明が解決しようとする課題】
従来、管体を相互に連結するために、例えば、実開昭６３−２３３２８号公報などで山部と谷部とが連続する波型管体の連結具が提案されている。この連結具は、波型管体の谷部と係合する係合凸部を内面に形成しており、波型管体の連結部に巻き付けて環状とすることによって、隣接する波型管体の谷部に連結具の係合凸部が係合し、これにより、管体が相互に連結されることになる。
【０００３】
このように、従来の管体用接続具は、管体とは別に接続具が必要であるとともに、管体の接続時に連結具を巻き付け、これを環状に固定する必要がある。このため、管体の着脱が面倒であった。
【０００４】
また、主に水田に用いる合成樹脂製暗渠排水管において、管体の一端部に径大筒部を形成し、管体を連結する際、管体の他端部を径大筒部に挿入して管体同士を連結する連結構造が広く知られている。このような管体の連結構造は、単に管体の他端部を径大筒部に挿入するだけで、管体を連結でき、操作性に優れるものの、管体の連結強度が弱く、簡単に外れ易い。
【０００５】
本発明は、このような従来の問題点に着目して成されたもので、管体の接続に際し、特別な接続部品を用いることなく、管体を簡単に連結することができるとともに、連結した管体が外れることなく、安定した状態で連結することができる管体の連結構造を提供することを目的としている。
【０００６】
【課題を解決するための手段】
上記課題を解決するため、本発明の請求項１記載の管体の連結構造は、円筒状の管体の一端部を管体の他端側に挿入して管体を連結する管体の連結構造において、前記管体の一端に該管体の外周面に内接する多角形径大部を形成し、この多角形径大部に係止孔を形成するとともに、前記管体の他端に前記係止孔と係合する係止突起を設け、前記管体の連結時に、前記係止突起が前記管体の外周面と前記多角形径大部の角部との隙間に挿入され、一方の管体の回転により、前記係止突起と前記係止孔とが係合してなるものである。
【０００７】
管体の連結時において管体の一端に形成する多角形径大部に管体の他端を挿入し、係止突起と係止孔との係合によって管体が連結されるとともに、管体の一端に多角形径大部を形成することにより、管体の連結時に多角形径大部と管体との間に隙間が生じる。そして、管体の連結時において多角形径大部と管体との間に隙間に係止突起を挿入するように管体の他端を管体の一端の多角形径大部に挿入し、一方の管体を回転させることによって、係止突起が係止孔に係合して管体が連結される。
【０００８】
また、本発明の請求項２記載の管体の連結構造は、請求項１記載の管体の連結構造において、前記係止孔に前記係止突起の抜止め部を形成したものである。
【０００９】
これにより、係止突起は管体の回転に伴い係止孔の内面に形成する抜け止め部を乗り越える。これにより、係止突起が係止孔の内周面と抜け止め部との間に挟まれ、管体同士が連結した状態で抜け止めされる。
【００１０】
【実施例】
以下、本発明の一実施例について図１〜図４を参照して説明する。同図において１は、円筒状の管体であり、水田などにおける暗渠排水用などとして使用する。この管体１は、ポリエチレン，塩化ビニールなどの合成樹脂製であり、外周面に吸水性、通水性を図る多数の吸水孔２が形成されている。また、管体１の一端開口部寄りにテーパ部３を形成するとともに、このテーパ部３の先端側に六角形状の多角形径大部４を形成している。この多角形径大部４の各辺内側に前記管体１の外周面が内接する。そして、管体１の他端側に係止突起５が形成され、この係合突起５と係合する係止孔６が形成されている。
【００１１】
図３は、管体１の連結状態を示しており、管体１の他端側に六角形状の多角形径大部４を形成することによって、多角形径大部４の角部４Ａと管体１の連結部に６箇所の隙間Ｓが生じる。この隙間Ｓに係止突起５が挿入できるように、係止突起５の高さｈが管体１の連結部に生じる隙間Ｓより僅かに短く形成されている。また、係止孔６は多角形径大部４の角部４Ａから形成されており、多角形径大部４の平面部ほぼ中央に延設されている。この係止孔６には係止孔６を抜け止めする抜止め部７が突出形成されている。
【００１２】
以上のように構成される本実施例は、管体１の一端に六角形の多角形径大部４を形成することにより、管体１の連結時に多角形径大部４と管体１との間に６箇所の隙間Ｓが生じる。そして、その隙間Ｓに挿入可能な係止突起５が管体１の他端側に形成され、この係止突起５に対応して多角形径大部４に係止孔６が形成されているため、管体１の他端を管体１の一端の多角形径大部４に挿入することによって、管体１の他端が多角形径大部４の基端部に形成するテーパ部３に当接し、かつ、多角形径大部４と管体１との隙間Ｓに係止突起５が挿入される。これにより、係止突起５と係止孔６とが位置合わせされる。この状態で一方の管体１を回転させることによって、係止突起５が係止孔６と係合する。この時、係止突起５は管体１の回転に伴い係止孔６の内面に形成する抜け止め部７を乗り越える。これにより、係止突起５が係止孔６の内周面と抜け止め部７との間に挟まれ、管体１が連結されるものである。こうして連結される管体１は水田などの地中に埋設され、暗渠排水管などとして使用され、管体１の外周面に形成する吸水孔２から管体１の内部に地中の水分を導入し、側溝などに排水する。
【００１３】
このように、本実施例は、管体１の他端を管体１の一端に形成する多角形径大部４に挿入して一方の管体１を一方向に回転させることによって、管体１同士を連結することができる。その管体１の接続に際し、別途、連結具を必要としないから、接続作業も容易であるとともに、効率的に管体１を連結することができる。また、管体１を連結した際、係止突起５が抜け止め部７によって抜け止め保持され、管体１の接続を確実に連結でき、しかも、連結後の抜け防止も確実である。
【００１４】
さらに、管体１の多角形径大部４との間に６箇所の隙間Ｓが形成されるため、その隙間Ｓから管体１の内部に地中の水分を効率的に吸水することができる。また、管体１は合成樹脂製であるから、耐衝撃性、可撓復元性、耐圧性、耐寒性、耐腐蝕性に優れるとともに、軽量であるために運搬、施工、布設が容易である。
【００１５】
以上、本発明を詳述したが、本発明は、前記実施例に限定されるものではなく、本発明の要旨の範囲内で種々の変形実施が可能である。例えば、前記実施例では、多角形径大部４を六角形とした例を示したが、八角形、十角形でもよい。また、係止突起５や係止孔６の形状なども適時選定すればよい。また、管体１を農業用の暗渠用管体として説明したが、土木用などの広い範囲で適用可能である。
【００１６】
【発明の効果】
以上説明したように、本発明の請求項１記載の管体の連結構造によれば、円筒状の管体の一端部を管体の他端側に挿入して管体を連結する管体の連結構造において、前記管体の一端に該管体の外周面に内接する多角形径大部を形成し、この多角形径大部に係止孔を形成するとともに、前記管体の他端に前記係止孔と係合する係止突起を設けたものであるから、管体の接続に際し、別途、特別な連結具を必要としないから、接続作業も容易であるとともに、管体の連結強度が向上し、管体の外れを防止することができる。また、前記管体の連結時に、係止突起が前記管体の外周面と前記多角形径大部の角部との隙間に挿入され、一方の管体の回転により、係止突起と係止孔とが係合してなるものであるから、管体の他端を管体の一端に形成する多角形径大部に挿入し、一方の管体を一方向に回転させだけで管体同士を簡単かつ迅速に連結することができるとともに、管体の連結強度が向上し、管体の外れを防止することができる。
【００１７】
また、本発明の請求項２記載の管体の連結構造によれば、請求項１記載の管体の連結構造において、前記係止孔に前記係止突起の抜止め部を形成したものであるから、管体の接続を確実に連結でき、しかも、連結後の抜け防止も確実である。
【図面の簡単な説明】
【図１】本発明の一実施例を示す管体の一部を省略した斜視図である。
【図２】同上管体の連結状態を示す連結部の正面図である。
【図３】同上図２のＡ−Ａ線断面図である。
【図４】同上図２のＢ−Ｂ線断面図である。
【符号の説明】
１  管体
４  多角形径大部
５  係止突起
６  係止孔
７  抜け止め部
【図１】
0004182536.tif 000002
【図２】
0004182536.tif 000003
【図３】
0004182536.tif 000004
【図４】
0004182536.tif 000005